(57)【要約】【課題】高さ、長さまたは幅を適宜変更することができ、様々な用途に対応して兼用することができる経済性に富んだボストンバッグを提供する。【解決手段】本発明のボストンバッグ１は、バッグ本体２と、バッグ本体２の上部において長さ方向に沿って設けられたバッグ本体開閉手段３と、バッグ本体２の上方に突出するように設けられた把持部４と、バッグ本体２の四隅にそれぞれ設けられた連結手段５，６，７，８とを備え、長さ方向の両側にそれぞれ設けられた連結手段（５と６あるいは７と８）は一方が雄型留め具を有し他方が雌型留め具を有すると共に、両側においてそれぞれ上下に設けられた連結手段（５と７あるいは６と８）は一方が雄型留め具を有し他方が雌型留め具を有するように構成されており、連結手段５，６，７，８同士を連結することにより、高さ、長さまたは幅を適宜変更することができ、様々な用途に対応して兼用することができる。【選択図】図１
2011172771.tif 000002
【特許請求の範囲】
【請求項１】
バッグ本体と、該バッグ本体の上部において長さ方向に沿って設けられたバッグ本体開閉手段と、前記バッグ本体の上方に突出するように設けられた把持部と、前記バッグ本体の四隅にそれぞれ設けられた連結手段とを備え、
長さ方向の両側にそれぞれ設けられた前記連結手段は一方が雄型留め具を有し他方が雌型留め具を有すると共に、両側においてそれぞれ上下に設けられた前記連結手段は一方が雄型留め具を有し他方が雌型留め具を有するように構成されており、
長さ方向の両側に設けられた前記連結手段同士を連結し、あるいは上下に設けられた前記連結手段同士を連結することにより、前記バッグ本体の高さまたは長さが減少し幅が増加するように構成されていることを特徴とするボストンバッグ。
【請求項２】
前記ボストンバッグの幅方向に他の前記ボストンバッグを正面側と背面側を逆にして並列配置し、対向する前記連結手段同士を連結することにより、幅が増加可能に構成されている請求項１に記載のボストンバッグ。
【請求項３】
前記連結手段は、基端部がバッグ本体の四隅にそれぞれ固定された紐帯部と、該紐帯部に設けられた留め具とを有している請求項１または２に記載のボストンバッグ。
【発明の詳細な説明】
【技術分野】
【０００１】
本発明は、旅行用バッグなどに使用して好適なボストンバッグに関する。より詳しくは、高さ、長さまたは幅を適宜変更可能なボストンバッグに関する。
【背景技術】
【０００２】
従来より、旅行用バッグとして、バッグ本体と、バッグ本体の上部において長さ方向に沿って配されたファスナーと、バッグ本体の上方に突出するように取り付けられた把持部とを備えた、いわゆるボストンバッグが多用されている。このボストンバッグには大小様々なサイズのものが存在し、使用者は用途に適したサイズのボストンバッグを複数購入して使用している。
【０００３】
また、旅行等で飛行機に搭乗する場合、基本料金内でバゲッジに預けられるバッグの個数には制限があり、それを越える場合は追加料金が発生する。バッグ１個当たりの重量にも制限があり、それを越える場合も追加料金が発生する。機内に持ち込むことができるバッグのサイズにも制限があり、そのサイズを越えるものは機内に持ち込むことができない。
【０００４】
さらに、旅行先で購入した土産物を収納するサブバッグとしても、土産物の大きさに応じて、高さ、長さまたは厚さを適宜変更することができ、かつコンパクトに折り畳むことができるバッグが嘱望されている。
【先行技術文献】
【特許文献】
【０００５】
【特許文献１】引用無し
【発明の開示】
【発明が解決しようとする課題】
【０００６】
そこで、本願発明者は上記問題を一挙に解決できるバッグを想起し本発明を完成したものであり、すなわち、本発明の課題は、高さ、長さまたは幅を適宜変更することができ、様々な用途に対応して兼用することができる経済性に富んだボストンバッグを提供することにある。
【課題を解決するための手段】
【０００７】
上記課題を解決するものは、バッグ本体と、該バッグ本体の上部において長さ方向に沿って設けられたバッグ本体開閉手段と、前記バッグ本体の上方に突出するように設けられた把持部と、前記バッグ本体の四隅にそれぞれ設けられた連結手段とを備え、長さ方向の両側にそれぞれ設けられた前記連結手段は一方が雄型留め具を有し他方が雌型留め具を有すると共に、両側においてそれぞれ上下に設けられた前記連結手段は一方が雄型留め具を有し他方が雌型留め具を有するように構成されており、長さ方向の両側に設けられた前記連結手段同士を連結し、あるいは上下に設けられた前記連結手段同士を連結することにより、前記バッグ本体の高さまたは長さが減少し幅が増加するように構成されていることを特徴とするボストンバッグである。
【０００８】
前記ボストンバッグの幅方向に他の前記ボストンバッグを正面側と背面側を逆にして並列配置し、対向する前記連結手段同士を連結することにより、幅が増加可能に構成されていることが好ましい。前記連結手段は、基端部がバッグ本体の四隅にそれぞれ固定された紐帯部と、該紐帯部に設けられた留め具とを有していることが好ましい。
【発明の効果】
【０００９】
請求項１に記載した発明によれば、高さ、長さまたは幅を適宜変更することができ、様々な用途に対応して兼用することができる経済性に富んだボストンバッグとなる。
請求項２に記載した発明によれば、幅を増加させることができ、様々な用途に対応して兼用することができる経済性に富んだボストンバッグとなる。
請求項３に記載した発明によれば、上記請求項１または２の効果を奏するための連結手段を簡素な構造で実現できる。
【図面の簡単な説明】
【００１０】
【図１】本発明のボストンバッグの一実施例の正面側斜視図である。
【図２】図１に示したボストンバッグの右側面図である。
【図３】図１に示したボストンバッグの作用を説明するための斜視図である。
【図４】図１に示したボストンバッグの他の作用を説明するための斜視図である。
【図５】図１に示したボストンバッグの他の作用を説明するための斜視図である。
【図６】図１に示したボストンバッグの他の作用を説明するための斜視図である。
【図７】図６に示したボストンバッグの作用を説明するための右側面図である。
【図８】本発明のボストンバッグの他の実施例の正面側斜視図である。
【図９】図８に示したボストンバッグの作用を説明するための斜視図である。
【発明を実施するための形態】
【００１１】
本発明では、バッグ本体２に連結手段５，６，７，８を設け、連結手段５，６，７，８同士を連結して、高さ、長さまたは幅を変更可能に構成したことで、様々な用途に対応して兼用することができる経済性に富んだボストンバッグ１を実現した。
【実施例１】
【００１２】
本発明のボストンバッグを図１ないし図７に示した一実施例を用いて説明する。
この実施例のボストンバッグ１は、図１に示すように、バッグ本体２と、バッグ本体２の上部において長さ方向に沿って設けられたバッグ本体開閉手段３と、バッグ本体２の上方に突出するように設けられた把持部４と、バッグ本体２の四隅にそれぞれ設けられた連結手段５，６，７，８とを備え、長さ方向の両側にそれぞれ設けられた連結手段（５と６あるいは７と８）は一方が雄型留め具を有し他方が雌型留め具を有すると共に、両側においてそれぞれ上下に設けられた連結手段（５と７あるいは６と８）は一方が雄型留め具を有し他方が雌型留め具を有するように構成されている。以下、各構成について順次詳述する。
【００１３】
バッグ本体２は、内部に荷物等を収容するための部位であり、図１に示すように、正面視で長さが高さに比して大きい略長方形に形成されている。また、バッグ本体２は、図２に示すように、幅方向にマチがないように形成されているが多少のマチが形成されたものでもよい。バッグ本体２の形成材料としては、革、樹脂材料など柔軟性を有するものであればどのような素材でもよい。
【００１４】
バッグ本体開閉手段３は、バッグ本体２を開閉するためのものであり、バッグ本体２の上部において長さ方向に沿って設けられている。なお、この実施例のバッグ本体開閉手段３は金属製ファスナーにて構成されているが、これに限定されるものではなく、使用者が容易に開閉可能なものであればどのようなものでもよく、例えば面ファスナーなどで構成されたものも本発明の範疇に包含される。
【００１５】
把持部４は、使用者がボストンバッグ１を把持するための部位であり、バッグ本体２の上方に突出するように設けられている。具体的には、この実施例の把持部４は、正面側と背面側にそれぞれ取り付けられ、バッグ本体２の上方に逆Ｕ字状に突出するように設けられた一対の吊り紐４ａ，４ｂから構成されている。背面側の吊り紐４ｂには、吊り紐４ａ，４ｂの上部付近を巻回し面ファスナー４ｃにて係止することで吊り紐４ａ，４ｂを同時に把持するための巻回部材４ｄが取り付けられている。
【００１６】
連結手段５，６，７，８は本発明の特徴的構成要素であり、バッグ本体２の四方四隅にそれぞれ設けられている。連結手段５，６，７，８は、留め具５ａ，６ａ，７ａ，８ａと紐帯部５ｂ，６ｂ，７ｂ，８ｂとから構成されており、紐帯部５ｂ，６ｂ，７ｂ，８ｂの基端部がバッグ本体２の四隅にそれぞれ固定され、紐帯部５ｂ，６ｂ，７ｂ，８ｂの先端部に留め具５ａ，６ａ，７ａ，８ａがそれぞれ取り付けられて構成されている。
【００１７】
留め具５ａ，６ａ，７ａ，８ａは、連結手段同士を連結するためのものであり、樹脂製、金属製のものが好適に使用できる。この実施例の留め具５ａ，６ａ，７ａ，８ａは、樹脂製バックルにて構成されており、雄型と雌型に分かれ雄型を雌型に差し込むと両者が連結するように構成されている。具体的には、留め具５ａ（図１中左上のバックル）と留め具８ａ（図１中右下のバックル）は雌型留め具で構成され、留め具６ａ（図１中右上のバックル）と留め具７ａ（図１中左下のバックル）は雄型留め具で構成されている。そして、左右（長さ方向の両側）の留め具同士（雌型留め具５ａと雄型留め具６ａ、雄型留め具７ａと雌型留め具８ａ）は連結可能に構成されており（図３または図４の状態）、上下の留め具同士（雌型留め具５ａと雄型留め具７ａ、雄型留め具６ａと雌型留め具８ａ）も連結可能に構成されている（図５の状態）。さらに、図６または図７の状態のように、２つのボストンバッグ１，１｀を幅方向に並列配置し連結する場合は、ボストンバッグ１｀の表裏（正面側と背面側）を逆にして配すると、雄型留め具と雌型留め具の配置も逆になり四隅で対向する留め具同士を連結することができるように構成されている。
【００１８】
このように、雄型留め具と雌型留め具の配置を長さ方向の両側で異なるものとすることにより、長さ方向の両側に設けられた連結手段同士が連結可能となり、図３または図４に示したような、高さ、長さおよび幅の変更が可能なボストンバッグを構成できる。また、雄型留め具と雌型留め具の配置を上下で異なるものとすることにより、連結手段同士が高さ方向で連結可能となり、図５に示したような、高さ、長さおよび幅の変更が可能なボストンバッグを構成できる。さらに、雄型留め具と雌型留め具の配置を長さ方向の両側で異なるものとし、かつ、雄型留め具と雌型留め具の配置を上下で異なるものとすることにより、図３ないし図５に示したような、高さ、長さおよび幅の変更が可能で、かつ、図６または図７に示したような、２個のボストンバッグを幅方向に並列配置して連結し幅を増加なボストンバッグを構成できる。したがって、この実施例とは逆に留め具５ａと留め具８ａが雄型留め具で構成され、留め具６ａと留め具７ａが雌型留め具で構成されていてもよい。
【００１９】
紐帯部５ｂ，６ｂ，７ｂ，８ｂは、留め具同士を相互に連結可能な位置に配するためのものであり、バッグ本体２の大きさ等に対応して所要の長さに形成されている。具体的には、紐帯部５ｂ，６ｂ，７ｂ，８ｂの長さは、図１中左右の留め具同士（雌型留め具５ａと雄型留め具６ａ、雄型留め具７ａと雌型留め具８ａ）または上下の留め具同士（雌型留め具５ａと雄型留め具７ａ、雄型留め具６ａと雌型留め具８ａ）を連結した際に、ボストンバッグ１の高さまたは長さが減少し、その分、マチが形成されて幅が増加するよう、少なくともそのようなボストンバッグの変形が伴わない状態（図１または図２の状態）で左右の留め具同士または上下の留め具同士が連結しない長さ（上下または左右の連結手段同士が届かない長さ）に形成されている。
【００２０】
なお、この実施例の紐帯部５ｂ，６ｂ，７ｂ，８ｂは帯状体（ベルト）にて形成されているが、紐部材にて形成されていてもよい。また、紐帯部の形成材料としては、布材料、革材料、樹脂材料などが好適であるが、チェーンなどの金属材料にて形成されていてもよい。さらに、紐部材は弾性部材などある程度の伸縮性を有するものであってもよく、これにより、バックル同士を連結させた際に、連結手段をバッグ本体の外面により沿わせてフィットさせることができると共に、バッグ本体内で荷物等が移動しないように保持させることができる。
【００２１】
つぎに、図３ないし図７に示した本発明のボストンバッグ１の作用について順次説明する。
図３はバッグ本体２内に荷物等を収容しない場合などに、ボストンバッグ１のバッグ本体２を折り畳んで長さを半減させた状態の図であり、バッグ本体２を長さ方向を半分に折った後、一端側（図３中左側）にて連結手段５と連結手段６、および連結手段７と連結手段８とが連結されている。
【００２２】
図４は長さ方向の両側に設けられた連結手段５と連結手段６をバッグ本体２の上方で連結すると共に、連結手段７と連結手段８（図示せず）をバッグ本体２の下方で連結して、高さ、長さおよび幅が変更された状態（高さおよび長さが減少し幅が増加した状態）を示す図である。
【００２３】
図５は上下に設けられた連結手段５と連結手段７（図示せず）を図中左側面側で連結すると共に、上下に設けられた連結手段６と連結手段８を図中右側面側で連結して、高さ、長さおよび幅が変更された状態（高さおよび長さが減少し幅が増加した状態）を示す図である。
【００２４】
図６または図７は、ボストンバッグ１とボストンバッグ１｀を幅方向に２個並列配置し、長さ方向の両側付近においてそれぞれ対応（対向）する連結手段５と連結手段６｀、連結手段６と連結手段５｀、連結手段７と連結手段８｀（図示せず）、連結手段８と連結手段７｀をそれぞれ連結することにより、高さおよび長さに変更がなく、幅が倍増された状態を示す図である。
【００２５】
以上のように、本発明のボストンバッグは、連結手段同士を連結することにより、高さ、長さまたは幅を適宜変更して様々な形態に変形することができると共に、幅方向に並列配置して幅を増加させることができ、様々な用途に対応して兼用することができる。
【００２６】
さらに、図８または図９に示した本発明のボストンバックの他の実施例について説明する。
この実施例のボストンバック１０と前述したボストンバッグ１との相違は、連結手段の構造のみであり他は同様である。同一構成部分については同一符号を付し説明を省略する。
【００２７】
ボストンバッグ１０の連結手段は、図８に示すように２種類の異なる部材から構成されている。すなわち、連結手段１５または１８は、基端部がバッグ本体２の隅部に固定されたベルト１５ｂ，１８ｂと、ベルト１５ｂ，１８ｂの先端部に取り付けられたリング部材１５ａ，１８ａとから構成されている。他方、連結手段１６または１７は、ベルト部材にて構成されており、ベルト部材の先端側面１６ａ，１７ａには面ファスナーのフックが多数形成され、基端面側１６ｂ，１７ｂには面ファスナーのループが多数形成されている。なお、ベルト部材の先端側面１６ａ，１７ａに面ファスナーのループが形成され、基端面側１６ｂ，１７ｂには面ファスナーのフックが形成されていてもよい。
【００２８】
そして、このような連結手段同士を連結する場合は、図９に示すように、ベルト部材からなる連結手段１６を連結手段１５のリング部材１５ａ内に挿入し、折り返して連結手段の先端側面１６ａを基端側面１６ｂに貼り付けることにより連結させることができる。連結手段がこのような部材にて構成されたものも本発明の範疇に包含される。
【符号の説明】
【００２９】
１    ボストンバッグ
２    バッグ本体
３    バッグ本体開閉手段
４    把持部
５，６，７，８    連結手段
【図１】
2011172771.tif 000003
【図２】
2011172771.tif 000004
【図３】
2011172771.tif 000005
【図４】
2011172771.tif 000006
【図５】
2011172771.tif 000007
【図６】
2011172771.tif 000008
【図７】
2011172771.tif 000009
【図８】
2011172771.tif 000010
【図９】
2011172771.tif 000011